(57)【要約】【課題】  構成の簡素化を図って設置スペースを削減し、汎用性に優れ、且つ、防犯性の向上が図れる電気錠システムを提供する。【解決手段】  電気錠システム１は、外部から取得した認証情報と照合するための照合情報を予め記憶し、認証情報と照合情報とを照合して認証情報が特定の認証情報であると判別されたときに自身の施解錠機構を施解錠制御する制御手段が錠本体の内部に組み込まれた制御機能付電気錠１０と、制御機能付電気錠１０を制御するための信号を出力する外部機器３０が接続可能とされ、所定の入力操作に基づく制御機能付電気錠１０への施錠または解錠信号の出力、制御機能付電気錠１０の施解錠状態および／または扉の開閉状態の表示、制御機能付電気錠１０からの施解錠状態を示す情報を定期的に蓄積する機能を有する操作表示器２０とを備える。【選択図】    図１
2006316542.tif 000002
【特許請求の範囲】
【請求項１】
外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示、前記制御機能付電気錠からの施解錠状態を示す情報を定期的に蓄積する機能を有する操作表示器とを備えたことを特徴とする電気錠システム。
【請求項２】
外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示を行う操作表示器と、
前記操作表示器に接続されて前記外部端末との間でネットワーク網を介して通信可能とされ、前記外部端末から送信される前記制御機能付電気錠を制御するための施錠または解錠信号を受信したときに、この受信した施錠または解錠信号を前記操作表示器に転送出力する中継装置とを備え、
前記操作表示器は、前記中継装置から施錠または解錠信号を受信したときに、この施錠または解錠信号を更に前記制御機能付電気錠に転送出力しており、
前記制御機能付電気錠は、前記操作表示器から転送される前記施錠または解錠信号に基づいて自身の施解錠機構を施解錠制御し、そのときの施解錠状態を示す情報を前記外部端末に返信することを特徴とする電気錠システム。
【請求項３】
外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示を行う操作表示器と、
前記操作表示器に接続されて前記外部端末との間でネットワーク網を介して通信可能とされ、前記外部端末から送信される前記制御機能付電気錠の施解錠状態を確認するための状態確認信号を受信したときに、この受信した状態確認信号を前記操作表示器に転送出力する中継装置とを備え、
前記操作表示器は、前記中継装置から状態確認信号を受信したときに、そのときの前記制御機能付電気錠の施解錠状態を示す情報を含めて前記制御機能付電気錠から定期的に収集蓄積した施解錠状態を示す情報を前記外部端末に返信することを特徴とする電気錠システム。
【発明の詳細な説明】
【技術分野】
【０００１】
本発明は、各種扉に具備する施解錠装置を電気的に駆動制御する電気錠システムに係り、外部からの施解錠情報を認証して施解錠装置を施解錠制御する機能を備えた制御機能付電気錠を用いた電気錠システムに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠の施解錠を行っている。
【０００３】
図１１はこの種の一般的な電気錠システムの概略構成を示している。図１１に示す電気錠システムは、ドア１０１に設置された電気錠１０２、電気錠制御部１０３、壁に設置されて電気的な手段により電気錠１０２の施錠や解錠を決定して電気錠１０２を制御するための制御信号を出力する施解錠決定手段１０４とを備え、ドア１０１の一側が蝶番１０５にてドア枠１０６に連結されている（ドア枠１０６に開閉自在に取り付けられている）。施解錠決定手段１０４には、２線式の電線１０７によって交流電源（ＡＣ１００ＶまたはＡＣ２００Ｖ）が供給されるとともに、宅内に配設される操作表示器１０８からの遠隔操作によって電気錠制御部１０３を介して施解錠信号が伝送される。また、上記のような電気錠システムは、例えば特許文献１に開示されるように公知である。
【特許文献１】特開平１０−０２５９３５号公報
【発明の開示】
【発明が解決しようとする課題】
【０００４】
ところで、この種の電気錠システムは、扉に具備された電気錠と、電気錠の施解錠を制御するための電気錠制御盤とが扉の通電金具を介して配線された構成である。このため、電気錠システムを導入する場合、電気錠を扉に設置するだけでなく、電気錠を制御するための電気錠制御盤を扉とは異なる場所、例えば室内の壁面に別途設置しなければならない。従って、電気錠制御盤専用の設置スペースを確保する必要があった。また、実際の運用では、電気錠制御盤が電源や端子台の役割に留まることが多く、電気錠制御盤の設置スペースやコスト面など無駄になることが多く、電気錠システムを構築するにあたっては、配線の取り廻しや電気錠制御盤の設置スペースが限定されるため、汎用性に乏しかった。さらに、電気錠を遠隔操作する場合には、電気錠制御盤に対して操作表示器が接続される構成なので、電気錠システムを構築するに際して、さらに構成を複雑化させていた。
【０００５】
また、従来の電気錠システムに使用される電気錠は、錠の施解錠状態と扉の開閉状態を電気的に監視するための接点信号端子と、施解錠機構のモーターやソレノイドの駆動端子とが錠本体から直接外部に引き出されて電気錠制御盤に配線接続される構成なので、電気錠と電気錠制御盤との間を配線する電線が不正行為などにより切断され、その切断された電線に対して外部から所定の信号（電気錠を施解錠駆動するための信号）を入力して電気錠が不正に施解錠される恐れもあった。
【０００６】
さらに、認証機能を有する電気錠システムを構築する場合、通常、電気錠制御盤にＩＤ読取装置を接続する必要があった。その結果、システムとして非常に高価なものになり、普及の妨げとなっていた。
【０００７】
ところで、近年、住宅玄関市場では、１ドア２ロック（複数ロック）で防犯性が高く、かつ様々な運用に柔軟に対応できる意匠性に優れた電気錠が求められているが、現在、１ドア２ロック運用ができる電気錠システムには、一般錠が取り付けられた扉の扉面から駆動ユニットを取り付けて電動でサムターンを駆動し施解錠する電動サムターンが採用されている。しかし、この電動サムターンを採用した構成では、駆動ユニットが扉面に露出してしまい、扉の意匠性を損ねていた。
【０００８】
これに対し、彫込式で意匠性に優れた電気錠も知られているが、複数ロック対応の電気錠制御盤がなく、現行製品を組み合わせて使用しても運用や価格、配線に無理があった。しかも、電池運用のみの運用のため、有線が不可能で、電池交換の手間が発生するとともに、解錠手段がリモコンのみに限定され、ノンタッチ式等ができず、さらにはインターホンから解錠などの機器連動ができないため、様々な運用に対応できなかった。さらに、彫込式の電気錠は、電源の駆動用配線が直接錠ケースから引き出されるので、防犯上好ましくなかった。
【０００９】
また、従来の電気錠は、錠種毎に通電方法が異なるため、電気錠の制御方法が煩雑となり、不具合時に電気錠側と制御側との責任の切り分けを困難にしていた。
【００１０】
そこで、本発明は上記問題点に鑑みてなされたものであり、構成の簡素化を図って設置スペースを削減し、汎用性に優れ、且つ、防犯性の向上が図れる電気錠システムを提供することを目的とするものである。
【課題を解決するための手段】
【００１１】
上記した目的を達成するために、請求項１記載の電気錠システムは、外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示、前記制御機能付電気錠からの施解錠状態を示す情報を定期的に蓄積する機能を有する操作表示器とを備えたことを特徴とする。
【００１２】
請求項２に記載された電気錠システムは、外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示を行う操作表示器と、
前記操作表示器に接続されて前記外部端末との間でネットワーク網を介して通信可能とされ、前記外部端末から送信される前記制御機能付電気錠を制御するための施錠または解錠信号を受信したときに、この受信した施錠または解錠信号を前記操作表示器に転送出力する中継装置とを備え、
前記操作表示器は、前記中継装置から施錠または解錠信号を受信したときに、この施錠または解錠信号を更に前記制御機能付電気錠に転送出力しており、
前記制御機能付電気錠は、前記操作表示器から転送される前記施錠または解錠信号に基づいて自身の施解錠機構を施解錠制御し、そのときの施解錠状態を示す情報を前記外部端末に返信することを特徴とする。
【００１３】
請求項３に記載された電気錠システムは、外部から取得した認証情報と照合するための照合情報を予め記憶し、前記認証情報と前記照合情報とを照合して前記認証情報が特定の認証情報であると判別されたときに自身の施解錠機構を施解錠制御する制御手段が錠本体の内部に組み込まれた制御機能付電気錠と、
前記制御機能付電気錠を制御するための信号を出力する外部機器が接続可能とされ、所定の入力操作に基づく前記制御機能付電気錠への施錠または解錠信号の出力、前記制御機能付電気錠の施解錠状態および／または扉の開閉状態の表示を行う操作表示器と、
前記操作表示器に接続されて前記外部端末との間でネットワーク網を介して通信可能とされ、前記外部端末から送信される前記制御機能付電気錠の施解錠状態を確認するための状態確認信号を受信したときに、この受信した状態確認信号を前記操作表示器に転送出力する中継装置とを備え、
前記操作表示器は、前記中継装置から状態確認信号を受信したときに、そのときの前記制御機能付電気錠の施解錠状態を示す情報を含めて前記制御機能付電気錠から定期的に収集蓄積した施解錠状態を示す情報を前記外部端末に返信することを特徴とする。
【発明の効果】
【００１４】
以上説明したように本発明によれば、電気錠システムを統括制御するための制御手段が錠本体の内部に組み込まれた構成なので、従来のような配設スペースを要する電気錠制御盤が不要となり、電気錠システムの省スペース化が図れるとともに、部品点数の減少による製造コストが削減でき、簡素化された安価な電気錠システムを構築することができる。しかも、外部からの不正行為による不正な施解錠を回避することができ、高い防犯性を得ることができる。そして、配線や設置スペースの自由度が増すため、設置機器が限定されることなく、多種多様な電気錠システムの構築を実現できる。
【００１５】
また、操作表示器は、電気錠を制御するための信号を出力する外部機器が接続可能とされた構成なので、操作表示器からの操作だけでなく、外部機器からの信号によっても電気錠の施解錠を制御することができる。しかも、操作表示器は、電気錠からの施解錠状態を示す情報を定期的に蓄積する機能を有するので、この蓄積された情報を表示することによって電気錠の状態を目視で確認することができる。
【００１６】
さらに、例えば携帯電話、ＰＤＡ、パソコンなどの外部端末との間でネットワーク網を介してデータ通信可能な中継装置を操作表示器に接続すれば、ネットワーク網を介して電気錠の施解錠制御や状態確認（施解錠状態、扉の開閉状態の確認）が容易に行え、さらに防犯性に優れた電気錠システムを構築することができる。
【発明を実施するための最良の形態】
【００１７】
以下、本発明の最良の形態について、添付する図面を参照しながら詳細に説明する。図１は本発明に係る第１形態の電気錠システムの概略構成図、図２は本発明に係る第１形態の電気錠システムの機能ブロック図、図３〜図５は本発明に係る第１形態の電気錠システムの各動作を示すフローチャート図、図６は本発明に係る第２形態の電気錠システムの概略構成図、図７〜図１０は本発明に係る第２形態の電気錠システムの各動作を示すフローチャート図である。
【００１８】
まず、本例の電気錠システムの第１形態について図１及び図２を参照しながら説明する。図１に示すように、第１形態の電気錠システム１は、外部からの認証情報と予めシステム構築時に記憶される照合情報との照合により錠を施解錠制御する機能を備えた主電気錠１１、主電気錠１１と連動して錠が施解錠される副電気錠１２、各種施解錠キーの操作やテンキーによる入力操作等の特定の施解錠動作から錠を施解錠するための認証情報を取得する認証情報取得部１３を備えた制御機能付電気錠１０と、制御機能付電気錠１０を遠隔で施解錠する際に操作される操作表示器２０と、操作表示器２０に接続可能な外部機器３０と、各部に駆動電源を供給する電源供給部４０とを備えて概略構成される。
【００１９】
図２に示すように、主電気錠１１、副電気錠１２、認証情報取得部１３、操作表示器２０のそれぞれには、入出力手段としての電源用入出力手段４１および通信用入出力手段４２と、機器情報記憶手段４３とが設けられている。図２の例では、電源供給部４０に接続された操作表示器２０と認証情報取得部１３との間、認証情報取得部１３と主電気錠１１との間、主電気錠１１と副電気錠１２との間が電源用入出力手段４１を介して配線接続される。これにより、電源供給部３０から操作表示器２０及び外部機器３０に駆動電源が供給されるとともに、各電源用入出力手段４１を経由して主電気錠１１、副電気錠１２、認証情報取得部１３の各部にも必要な駆動電源が供給される。
【００２０】
また、図２に示すように、操作表示器２０には、通信用入出力手段４２を介して外部機器３０が配線接続される。また、認証情報取得部１３と主電気錠１１との間、主電気錠１１と副電気錠１２との間、認証情報取得部１３と操作表示器２０との間が通信用入出力手段４２を介して配線接続される。これにより、施解錠に必要な認証情報の入出力などの各種信号を暗号化し、通信用入出力手段４２を介して各部間で通信可能とされる。
【００２１】
ここで、信号の暗号化処理について説明する。暗号化とは、入出力データや暗証番号を決まった規則に従ってデータを変換して第三者に盗み見られたり改竄されないようにすることである。この暗号化には、暗号表に当たる「鍵」を使うが、対になる２つの鍵を使う公開鍵暗号と、どちらにも同じ鍵を用いる秘密鍵暗号がある。公開鍵暗号としては、例えばＲＳＡ（Rivest Shamir Adleman ）、ＥｌＧａｍａｌ暗号、楕円曲線暗号などがある。秘密鍵暗号としては、例えばアメリカ政府標準のＤＥＳ（Data Encryptncryption Standard）や、ＩＤＥＡ（International Data Encryption Algorithm ）、ＦＥＡＬ（Fast data Encipherment ALgorihtmｅ）、ＭＩＳＴＹなどがある。また、上記公開鍵暗号、秘密鍵暗号を用いた処理の他、スクランブル処理などを用いることができる。
【００２２】
なお、上述した暗号化通信する際の通信用入出力手段４２には、例えばＲＳ−４８５、イーサネット（登録商標）などを用いることができる。
【００２３】
各部が備える機器情報記憶手段４３には、他の機器と識別するために自身の機器を特定するための機器情報（例えば製造メーカーや機種の型番）が各機器ごとに割り当てられて記憶される。この機器情報は、運用当初に個別の情報として登録されるものである。通信時には、それぞれの機器を意味するヘッダーと機器情報とを付加してデータを暗号化して呼出しが行われる。これにより、防犯性を配慮した制御を可能にしている。
【００２４】
次に、本例の電気錠システム１の第１形態における各部の構成についてそれぞれ詳細に説明する。図１及び図２に示すように、制御機能付電気錠１０は、主電気錠１１、副電気錠１２、認証情報取得部１３を備えて構成される。
【００２５】
主電気錠１１は、シリンダーとサムターン以外が扉の内部に組み付けられる彫込型の錠前において錠本体の内部に、上述した電源用入出力手段４１、通信用入出力手段４２、機器情報記憶手段４３に加え、施解錠機構を電気的に制御する制御手段１１ａが設けられる。なお、不図示の施解錠機構は、例えば扉枠の係合穴に対して進退するデッドボルトをモーターやソレノイドで駆動する機構で構成される。
【００２６】
制御手段１１ａは、電気錠システム１の各部を統轄制御するもので、例えばＣＰＵやＲＯＭ、ＲＡＭなどのマイクロコンピュータで構成される。この制御手段１１ａは、記憶手段１１ｂ、駆動手段１１ｃ、監視手段１１ｄを備えている。また、制御手段１１ａは、監視手段１１ｄの監視に基づく錠の施解錠状態を示す状態情報を定期的に操作表示器２０に送信することができる。
【００２７】
記憶手段１１ｂは、例えばＲＯＭやＲＡＭなどの半導体メモリなどの構成され、認証情報の照合時に認証情報取得部１３から入力される認証情報が正当な認証情報であるか否かを判別するために用いられる照合情報を記憶している。また、記憶手段１１ｂは、電気錠システム１を構成している各機器の機器情報の他、システム全体の制御に関する各種データを記憶している。
【００２８】
駆動手段１１ｃは、認証情報の照合結果に応じて施解錠機構を駆動して錠を電気的に施解錠している。監視手段１１ｄは、例えばマイクロスイッチやリードスイッチなどの検知センサで構成され、錠の施解錠状態、扉１５の開閉状態、認証情報取得部１３から取得した認証情報などを監視している。
【００２９】
そして、制御手段１１ａは、錠の施解錠時に、監視手段１１ｄからの監視情報に基づいて自身の状態（錠の施解錠状態、扉１５の開閉状態）をチェックする他、認証情報取得部１３からの認証情報と記憶手段１１ｂに記憶された照合情報との照合判別、認証情報の照合結果に応じて自身の錠と副電気錠１２の錠の施解錠制御を行っている。
【００３０】
副電気錠１２は、上述した電源用入出力手段４１、通信用入出力手段４２、機器情報記憶手段４３に加え、主電気錠１１の制御手段１１ａからの制御信号によって不図示の施解錠機構を電気的に制御する制御手段１２ａが錠本体の内部に設けられる。なお、不図示の施解錠機構は、例えば扉枠の係合穴に対して進退するデッドボルトをモーターやソレノイドで駆動する機構で構成される。
【００３１】
制御手段１２ａは、例えばＣＰＵやＲＯＭ、ＲＡＭなどのマイクロコンピュータで構成される。制御手段１２ａは、自身の状態（錠の施解錠状態、扉１５の開閉状態）をチェックする他、主電気錠１１からの施解錠信号に応じて自身の錠の施解錠機構を制御している。また、制御手段１２ａは、駆動手段１２ｃ、監視手段１２ｄを備えている。
【００３２】
駆動手段１２ｃは、監視手段１２ｄの監視情報と主電気錠１１の制御手段１１ａから入力される施解錠信号に応じて自身の錠の施解錠機構を駆動している。監視手段１２ｄは、例えばマイクロスイッチやリードスイッチなどの検知センサで構成され、副電気錠１２の錠の施解錠状態や扉１５の開閉状態の監視を行う。
【００３３】
認証情報取得部１３は、例えばテンキー操作による暗証番号入力による認証情報、リモコンなどの無線型キーによる認証情報、ＩＣチップを搭載した非接触型ＩＣカードやカードリーダーによって読み取られる磁気カードなどからの認証情報を読み取ることができる認証情報取得装置で構成され、扉１５の所定箇所に設けられる。この認証情報取得部１３は、上述した電源用入出力手段４１、通信用入出力手段４２、機器情報記憶手段４３の他、情報認識手段１３ａを備えている。
【００３４】
情報認識手段１３ａは、上記各形態に応じた認証情報を取得するための読取部で構成され、この取得した認証情報を主電気錠１１の制御手段１１ａが認識できる状態にするためのデータフォーマットを行っている。そして、このデータフォーマットされた認識情報は、暗号化された状態で通信用入出力手段４２を経由して主電気錠１１の制御手段１１ａに送信される。
【００３５】
操作表示器２０は、例えば宅内や管理室などの部屋の室内側に設けられ、制御機能付電気錠１０を遠隔操作により動作させる際に用いられる機器であり、例えばボタン式の操作パネルなどで構成される。操作表示器２０は、上述した電源用入出力手段４１、通信用入出力手段４２、機器情報記憶手段４３に加え、操作手段２１、表示手段２２、情報記憶手段２３を備えている。
【００３６】
操作手段２１は、室内側から制御機能付電気錠１０の施錠または解錠する際に操作される。表示手段２２は、例えばＬＥＤや液晶ディスプレイなどで構成され、制御機能付電気錠１０の施錠状態または解錠状態や扉の開閉状態などの各種状態を点灯／点滅または文字表示して状態表示を行っている。情報記憶手段２３は、例えばＲＯＭやＲＡＭなどの半導体メモリなどで構成され、制御機能付電気錠１０を施解錠するための施解錠情報、制御機能付電気機能１０の施解錠履歴や扉の開閉履歴などの制御機能付気電気錠１０や操作表示器２０の使用履歴などの各種情報を記憶している。
【００３７】
また、操作表示器２０は、主電気錠１１から各電気錠の錠の施解錠状態を示す状態情報を定期的に受信し、受信した状態情報を情報記憶手段２３に蓄積している。この情報記憶手段２３に蓄積された状態情報は、所定の入力操作により最新情報から一覧表示することができる。さらに、外部から操作表示器２０を介して制御機能付電気錠１０の施解錠状態の確認する場合には、主電気錠１１の制御手段１１ａに現在の錠の状態を示す状態情報を問い合わせをし、問い合わせた現在の錠の状態を示す状態情報と情報記憶手段２３に定期的に蓄積された錠の状態情報とを併せて外部に出力することができる。また、情報記憶手段２３に記憶された各種情報を外部に出力する場合には、操作表示器２０の通信用入出力手段４２に例えばデータ収集器を接続し、操作表示器２０とデータ収集器との間でデータ通信を行うことにより操作表示器２０からの各種情報をデータ収集器に転送することもできる。
【００３８】
外部機器３０は、通信用入出力手段４２を介して操作表示器２０に接続される機器である。この外部機器３０としては、例えば部屋の各所に分散配置される複数台の操作表示器２０の他、インターホン、タイマー、火災報知設備、空調設備、他のシステムなどがある。
【００３９】
電源供給部４０は、例えば商用電源（ＡＣ１００Ｖ）である外部電源から電源の供給を受け、操作表示器２０、制御機能付電気錠１０の主電気錠１１、副電気錠１２、認証情報取得部１３の各部に必要な駆動電源を電源用入出力手段１１を介して供給している。電源供給部４０は、運用に応じた電源方式を採用できるように電源入力用のケーブルを装備し、一般直流電源と電池のどちらにも電源供給を受けられるようになっている。電源供給部４０が供給する駆動電源は、一旦操作表示器２０に供給された後、通信用入出力手段４２を介して外部機器３０に供給されるとともに、通電金具１４を介して電気錠システム１を構成する各部、すなわち、扉１５に設けられる認証情報取得部１３、錠本体の内部に設けられる主電気錠１１および副電気錠１２にも供給される。
【００４０】
次に、上述した第１形態の電気錠システム１の各動作について図３〜図５を参照しながら具体的に説明する。以下に説明する第１形態の電気錠システム１では、例えばマンションなどの集合住宅に配設され、外部機器３０としての玄関用と宅内用とで一対となるインターホンによる呼出しや認証情報取得部１３が取得した認証情報に基づいて主電気錠１１や副電気錠１２の錠の施解錠が行われる。
【００４１】
まず、第１形態の電気錠システム１において、操作表示器２０から制御機能付電気錠１０の施解錠操作を行うときの動作について図３を参照しながら説明する。
【００４２】
例えば客人や集配物の配達人などが玄関先に設けられたインターホン（外部機器３０）の呼出ボタンが押されると、家主は宅内用のインターホンで呼出人を確認し、その呼出人が入室を許可して良い人であれば、操作表示器２０の解錠キーを操作する。解錠キーが操作されると、主電気錠１１の制御手段１１ａは、自身の状態チェックを行う（ＳＴ１）。この状態チェックでは、主電気錠１１の錠の施解錠状態、扉１５の開閉状態をチェックする。そして、主電気錠１１の制御手段１１ａは、状態チェックが完了すると、操作表示器２０に問い合わせを行う（ＳＴ２）。
【００４３】
操作表示器２０は、主電気錠１１の制御手段１１ａから問い合わせがあると、解錠キーの操作による解錠信号などの各種信号を暗号化し、レスポンスデータとして主電気錠１１の制御手段１１ａにレスポンス送信する（ＳＴ３）。主電気錠１１の制御手段１１ａは、操作表示器２０から送信されたレスポンスデータを受信する（ＳＴ４）。そして、主電気錠１１の制御手段１１ａは、操作表示器２０から受信したレスポンスデータを解析し、解析したデータ中の解錠信号と、予め記憶手段１１ｂに記憶された照合情報（許可する解錠信号に相当）とを照合し、照合が一致したときに主電気錠１１の駆動手段１１ｃに駆動信号を出力して錠を解錠する。そして、この錠の解錠に連動して、後述する副電気錠２の錠の解錠制御を行う。
【００４４】
次に、認証情報取得部１３が外部から認証情報を取得したときの動作について図４を参照しながら説明する。
【００４５】
例えばリモコンキーの操作により外部から錠を解錠（施錠）するための操作がなされると、この解錠操作（施錠操作）による信号を認証情報として認証情報取得部１３が取得する。認証情報取得部１３が認証情報を取得すると、認証情報を取得した旨の情報が通信用入出力手段４２を介して主電気錠１１に送信される。主電気錠１１は、認証情報取得部１３から認証情報を取得した旨の情報を受信すると、自身の状態チェックを行う（ＳＴ１１）。この状態チェックでは、主電気錠１１の錠の施解錠状態、扉１５の開閉状態をチェックする。
【００４６】
そして、主電気錠１１の制御手段１１ａは、状態チェックが完了すると、認証情報取得部１３に認証情報の問い合わせを行う（ＳＴ１２）。認証情報取得部１３は、リモコンキーの操作による外部から認証情報を取得して認証情報を情報認識手段１３ａが認識する（ＳＴ１３）。そして、認証情報取得部１３は、取得した認証情報が主電気錠１１の制御手段１１ａで認識できる状態にするため、データフォーマットを行う（ＳＴ１４）。
【００４７】
そして、このデータフォーマットされた認証情報を暗号化しレスポンスデータとして主電気錠１１の制御手段１１ａに送信する（ＳＴ１５）。主電気錠１１の制御手段１１ａは、認証情報取得部１３からレスポンスデータを受信すると（ＳＴ１６）、この暗号化された認証情報を解析し、この解析した認証情報と、予めシステム構築時に記憶手段１３に記憶された照合情報とを照合し、特定の認証情報であるか否かを判別する（ＳＴ１７）。
【００４８】
そして、受信した認証情報が特定の認証情報と判別すると（ＳＴ１７−Ｙｅｓ）、駆動手段１ｃに錠を解錠（施錠）するための駆動信号を出力して錠を解錠（施錠）する。なお、錠が解錠された後、所定時間以内に開扉されない場合には、錠が施錠される。これに対し、受信した認証情報が特定の認証情報でないと判別すると（ＳＴ１７−Ｎｏ）、駆動手段１ｃには解錠（施錠）するための駆動信号が出力されず、錠の解錠（施錠）は行われない。
【００４９】
次に、施解錠動作時の主電気錠１１と連動して制御される副電気錠１２に関する動作について図５を参照しながら説明する。
【００５０】
上述した図３または図４のいずれかの動作により主電気錠１１の錠が解錠（施錠）されると、主電気錠１１は、副電気錠１２へ状態の問い合わせをする（ＳＴ２１）。副電気錠１２の制御手段１２ａは、主電気錠１１から状態の問い合わせがあると、自身の状態チェックを行う（ＳＴ２２）。具体的には、副電気錠１２の施解錠状態や扉１５の開閉状態をチェックする。そして、副電気錠１２の制御手段１２ａは、状態チェックが完了すると、主電気錠１１からの制御信号（解錠信号または施錠信号）と自身の状態結果に基づいて自身の錠を解錠（施錠）制御する（ＳＴ２３）。
【００５１】
そして、副電気錠１２の制御手段１２ａは、自身の錠が解錠（施錠）されると、解錠（施錠）制御された状態を示す情報をレスポンスデータとして主電気錠１１に送信する（ＳＴ２４）。主電気錠１１の制御手段１１ａは、副電気錠２から送信されたレスポンスデータを受信する（ＳＴ２５）。そして、主電気錠１１の制御手段１１ａは、受信したレスポンスデータにより、現在の副電気錠１２の施解錠状態を認識する。
【００５２】
次に、本例の電気錠システム１の第２形態における各部の構成について、図６を参照しながら詳細に説明する。なお、以下に説明する第２形態の電気錠システム１において、第１形態の電気錠システム１と同様の構成要件については同一の番号を付してその説明を省略し、相違する構成要件のみについて説明する。
【００５３】
第２形態の電気錠システム１では、例えば携帯電話、ＰＤＡ、パソコンなどを外部端末６０として使用し、外部端末６０からインターネットやイーサネット（登録商標）などのネットワーク網を経由して遠隔的に制御機能付電気錠１０の施解錠操作や状態監視を行うため、操作表示器２０にネットワークアダプタと称する中継装置５０が接続されている。この中継装置５０には、上述した各構成と同様、電源用入出力手段４１、通信用入出力手段４２、機器情報記憶手段４３が設けられている。
【００５４】
中継装置５０は、電源用入出力手段１１を介して操作表示器２０と配線接続されている。これにより、電源供給部４０から操作表示器２０を介して中継装置５０に必要な駆動電源が供給される。また、中継装置５０と操作表示器２０との間が通信用入出力手段４２を介して配線接続されている。これにより、外部端末６０と中継装置５０との間では、各種信号（例えば施解錠に必要な認証情報や錠の状態確認などの信号）が通信用入出力手段４２でコマンド変換（ＬＡＮコマンドからシリアル通信コマンド、又はシリアル通信コマンドからＬＡＮコマンド）された後に暗号化され、インターネット網を介して相互にデータ通信可能とされる。さらに、機器情報記憶手段４３には、他の機器と識別するために自身の機器を特定するための機器情報（例えば製造メーカー、機種の型番、予め登録された外部端末６０のＭＡＣアドレスなど）が各機器毎に割り当てられて記憶される。この機器情報は、運用当初に個別の情報として登録されるものである。通信時には、それぞれの機器を意味するヘッダーと機器情報とを付加してデータを暗号化して呼出しが行われるため、防犯性を配慮した制御を可能にしている。
【００５５】
なお、外部端末６０と中継装置５０との間でインターネット網を介してデータ通信を行うにあたっては、パスワード、部屋ＩＤに対する中継装置５０のＭＡＣアドレス（ＤＨＣＰ機能により、このＭＡＣアドレスに対して中継装置５０のＩＰアドレスを自動的に割り振る）が予め設定されている。また、実際のシステムにおける中継装置５０は、ルーターやハブなどを介してサーバー（例えばマンションの電気錠システムであればマンションセキュリティサーバー）や他の中継装置ともにネットワーク接続される。そして、外部端末６０から所定の中継装置５０をアクセスする場合には、ＡＳＰ（application service provider）に対してアクセスし、ログイン等の所定の操作を行い、操作画面に従って電気錠の施解錠制御、状態確認を行う。また、ＡＳＰは、該当する例えばサーバーに対して要求コマンドを送信し、これを受信したサーバーが該当する中継装置５０に対して通信を行う。
【００５６】
第２形態の電気錠システム１では、外部端末６０と中継装置５０との間でデータ通信を行い、制御機能付電気錠１０の各種制御を可能としている。そして、外部端末６０から制御機能付電気錠１０の状態確認をするための状態確認信号が中継装置５０に送信された場合には、まず中継装置５０が外部端末６０から受信した状態確認信号の信号形式を変換（コマンド変換）して操作表示器２０に出力する。操作表示器２０は、状態確認信号を受信すると、制御機能付電気錠１０に錠の状態情報を問い合わせる。そして、制御機能付電気錠１０から現在の錠の状態を示す状態情報が入力されると、それまでに蓄積した錠の状態情報と併せて中継装置５０に出力し、中継装置５０で信号形式を変換した後、外部端末６０に状態情報を送信している。
【００５７】
また、外部端末６０から制御機能付電気錠１０を施錠または解錠するための施錠（解錠）信号が中継装置５０に送信された場合には、まず中継装置５０が外部端末６０から受信した施錠（解錠）信号の信号形式を変換（コマンド変換）して操作表示器２０に出力する。操作表示器２０は、施錠（解錠）号を受信すると、制御機能付電気錠１０に施錠（解錠）を出力する。そして、制御機能付電気錠１０は、入力される施錠（解錠）信号に基づいた施解錠制御を行い、施錠（解錠）が完了したことを示す施錠（解錠）完了信号を操作表示器２０に出力する。操作表示器２０は、施錠（解錠）完了信号が入力されると、その信号を中継装置５０に出力し、中継装置５０で信号形式を変換した後、外部端末６０に状態情報を送信している。
【００５８】
次に、第２形態の電気錠システム１の動作について図７〜図１０を参照しながら説明する。以下に説明する第２形態の電気錠システム１では、例えばマンションなどの集合住宅の宅内に操作表示器２０が配設され、例えば携帯電話、ＰＤＡ、パソコンなどの外部端末６０と中継装置５０との間でインターネットやイーサネット（登録商標）などのネットワーク網を介してデータ通信可能とされ、住人が外部端末６０を操作して制御機能付電気錠１０の施解錠操作や状態確認が行われる。
【００５９】
なお、以下に説明する第２形態の電気錠システムの動作では、操作表示器２０で制御機能付電気錠１０の施解錠操作を行うときの動作、認証情報取得部１３が外部から認証情報を取得したときの動作、施解錠動作時の主電気錠１１と連動して制御される副電気錠１２に関する動作については、上述した第１形態の電気錠システムの動作と同様であるため、その説明を省略する。
【００６０】
まず、外部端末６０を用いて制御機能付電気錠１０の状態確認を行うときの動作について図７と図８を参照しながら説明する。  
【００６１】
住人は、外出先から例えば携帯電話、ＰＤＡ、パソコンなどの外部端末６０で制御機能付電気錠１０の状態を問い合わせるため、ネットワーク網を介して中継装置５０に状態確認信号を送信する（ＳＴ３１）。中継装置５０は、外部端末６０からネットワーク網を介して状態確認信号を受信する（ＳＴ３２）。そして、受信した状態確認信号をＬＡＮコマンドからシリアル通信コマンドに変換し（ＳＴ３３）、操作表示器２０に出力する（ＳＴ３４）。操作表示器２０は、中継装置５０から状態確認信号が入力されると（ＳＴ３５）、主電気錠１１に現在の錠の状態情報の問い合わせを行う（ＳＴ３６）。主電気錠１１は、操作表示器２０から状態情報の問い合わせがあると、主電気錠の制御手段１１ａが錠の状態を確認した後（ＳＴ３７）、現在の錠の状態を示す状態情報を操作表示器２０へ出力する（ＳＴ３８）。
【００６２】
そして、図８に示すように、操作表示器２０は、ＳＴ３８において主電気錠１１から出力された現在の錠の状態を示す状態情報を入力されると（ＳＴ３９）、情報記憶手段２３に蓄積された状態情報と併せて中継装置５０に出力する（ＳＴ４０）。そして、中継装置５０は、操作表示器２０から出力された錠の状態情報が入力されると（ＳＴ４１）、その錠の状態情報をシリアル通信コマンドからＬＡＮコマンドに変換し（ＳＴ４２）、コマンド変換された状態情報を外部端末６０へ送信する（ＳＴ４３）。そして、外部端末６０は、中継装置５０から送信された状態情報をネットワーク網を介して受信すると（ＳＴ４４）、受信した状態情報が表示画面上に表示される。これにより、住人は、外部端末６０の表示により錠の施解錠状態を確認する。
【００６３】
次に、外部端末６０を用いて制御機能付電気錠１０の施解錠操作を行うときの動作について図９と図１０を参照しながら説明する。
【００６４】
住人は、外出先から例えば携帯電話、ＰＤＡ、パソコンなどの外部端末６０で錠の施錠（解錠）を行うため、インターネットやイーサネット（登録商標）などのネットワーク網を介して中継装置５０に施錠または解錠を指示する施錠（解錠）信号を送信する（ＳＴ５１）。中継装置５０は、外部端末６０から施錠（解錠）信号を受信する（ＳＴ５２）。そして、受信した施錠（解錠）信号をＬＡＮコマンドからシリアル通信コマンドに変換し（ＳＴ５３）、操作表示器２０に出力する（ＳＴ５４）。操作表示器２０は、中継装置５０から施錠（解錠）信号が入力されると（ＳＴ５５）、主電気錠１１に施錠（解錠）信号を出力する（ＳＴ５６）。制御機能付電気錠１０は、操作表示器２０から入力された施錠（解錠）信号に基づいて、上述したＳＴ１１〜ＳＴ１８（図４を参照）及びＳＴ２１〜ＳＴ２５（図５を参照）の施錠（解錠）制御を行う（ＳＴ５７）。そして、施錠または解錠制御が終了すると、制御機能付電気錠１０は、その旨を示す施錠（解錠）完了信号を操作表示器２０に出力する（ＳＴ５８）。
【００６５】
そして、図１０に示すように、操作表示器２０は、ＳＴ５８において主電気錠１１から出力された施錠（解錠）完了信号が入力されると（ＳＴ５９）、その施錠（解錠）完了信号を中継装置５０に出力する（ＳＴ６０）。そして、中継装置５０は、操作表示器２０から施錠（解錠）完了信号が入力されると（ＳＴ６１）、その施錠（解錠）完了信号をシリアル通信コマンドからＬＡＮコマンドに変換し（ＳＴ６２）、このコマンド変換された状態情報を外部端末６０へ送信する（ＳＴ６３）。そして、外部端末６０は、中継装置５０から送信された状態情報をネットワーク網を介して受信すると（ＳＴ６４）、受信した状態情報に基づく表示がなされる。これにより、住人は、外部端末６０の表示により錠の施錠（解錠）が完了したことを確認する。
【００６６】
このように、本例の制御機能付電気錠１０（主電気錠１１、副電気錠１２を含む）を採用した電気錠システム１では、データを暗号化して各部間の通信を行い、かつ情報の認証に基づいて錠の施解錠制御を行うべく、錠種や錠の個数に依存しない共通のコマンド体系による外部インターフェース（電源用入出力手段４１、通信用入出力手段４２）を有している。これにより、データの入出力時に主電気錠１１の制御手段１１ａが処理可能なデータに変換することで、従来品を含め、扉１５に設置可能な電気錠や認証情報取得装置であれば種類や設置数を問わず幅広い汎用性を有する電気錠システムを構築することができ、従来の電気錠システムと比較して、防犯性の向上を図ることができる。
【００６７】
そして、本例の制御機能付電気錠１０は、電気錠システム１の各部を統括制御するための制御手段１１ａが錠本体の内部に組み込まれた構成なので、各機器との配線や別途制御盤を設置するスペースを確保する必要がなく、従来の電気錠制御盤の筐体部分のコストやスペースの削減を図ることができ、外部からの不正行為を防ぐことができる。これにより、配線や設置スペースの自由度が増し、電気錠システムの設置場所の省スペース化が図れるとともに、製造コストが削減でき、防犯性に優れた安価な電気錠システムを構築することができる。
【００６８】
本例の制御機能付電気錠１０は、外部インターフェースを備えた構成なので、対応したＩＤ読取装置（認証情報取得部１３）を直接外部インターフェースを介して接続することができ、認証機能付き電気錠システムを安価に構築することができる。しかも、電気錠システム１における制御インターフェースが共通化され、動作確認や責任範囲の切り分けが容易になった。
【００６９】
また、本例の電気錠システム１では、扉面に露出する部分がＩＤ読取装置（認証情報取得部３）だけなので、従来と比較して扉の意匠性が向上した。しかも、本例の電気錠システム１によれば、主電気錠１１の制御によって副電気錠１２を連動制御することができるので、１ドア２ロックシステムを簡素なシステム構成によって実現することができる。
【００７０】
さらに、操作表示器２０は、制御機能付電気錠１０を制御するための信号を出力する外部機器３０が接続可能なので、操作表示器２０からの操作だけでなく、外部機器３０からの信号によっても主電気錠１１や副電気錠１２を施解錠制御することができる。しかも、操作表示器２０は、制御機能付電気錠１０からの施解錠状態を示す情報を定期的に蓄積する機能を有するので、この蓄積された状態情報を最新情報から順に一覧表示することによって各電気錠毎の状態を目視で容易に確認することができる。
【００７１】
また、ネットワーク網を介して外部端末６０と相互にデータ通信可能な中継装置５０を操作表示器２０に接続する構成とすれば、例えば携帯電話、ＰＤＡ、パソコンなどの外部端末６０からインターネットやイーサネット（登録商標）などのネットワーク網を介して電気錠の施解錠制御や状態確認（施解錠状態、扉の開閉状態の確認）が容易に行え、さらに防犯性に優れた電気錠システムを構築することができる。
【００７２】
ところで、上述した各形態では、１ドア２ロックシステムとして、主電気錠１１と副電気錠１２の２つの電気錠を備えた構成を例にとって説明したが、電気錠の数は限定されるものではなく、電気錠として、１つの主電気錠１１のみ、１つの主電気錠１１と２つ以上の副電気錠１２で構成することもできる。
【００７３】
以上、本発明を用いて最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００７４】
【図１】本発明に係る第１形態の電気錠システムの概略構成図である。
【図２】本発明に係る第１形態の電気錠システムの機能ブロック図である。
【図３】本発明に係る第１形態の電気錠システムにおいて、操作表示器から主電気錠を施解錠操作するときの動作を示すフローチャート図である。
【図４】本発明に係る第１形態の電気錠システムにおいて、主電気錠から認証情報取得部への問い合わせ時の動作を示すフローチャート図である。
【図５】本発明に係る第１形態の電気錠システムにおいて、主電気錠によって副電気錠を連動制御する時の動作を示すフローチャート図である。
【図６】本発明に係る第２形態の電気錠システムの概略構成である。
【図７】本発明に係る第２形態の電気錠システムにおいて、外部端末から制御機能付電気錠への問い合わせ時の動作を示すフローチャート図である。
【図８】図７における問い合わせ後の制御機能付電気錠の応答に関する動作を示すフローチャート図である。
【図９】本発明に係る第２形態の電気錠システムにおいて、外部端末から制御機能付電気錠を施錠または解錠する時の動作を示すフローチャート図である。
【図１０】図９における問い合わせ後の制御機能付電気錠の応答に関する動作を示すフローチャート図である。
【図１１】従来の一般的な電気錠システムの概略構成図である。
【符号の説明】
【００７５】
１  電気錠システム
１０  制御機能付電気錠
１１  主電気錠
１２  副電気錠
１１ａ，１２ａ  制御手段
１１ｂ  記憶手段
１１ｃ，１２ｃ  駆動手段
１１ｄ，１２ｄ  監視手段  
１３  認証情報取得部
１３ａ  情報認識手段
１４  通電金具
１５  扉
２０  操作表示器
３０  外部機器
４０  電源供給部
４１  電源用入出力手段
４２  通信用入出力手段
４３  機器情報記憶手段
５０  中継装置
６０  外部端末
【図１】
2006316542.tif 000003
【図２】
2006316542.tif 000004
【図３】
2006316542.tif 000005
【図４】
2006316542.tif 000006
【図５】
2006316542.tif 000007
【図６】
2006316542.tif 000008
【図７】
2006316542.tif 000009
【図８】
2006316542.tif 000010
【図９】
2006316542.tif 000011
【図１０】
2006316542.tif 000012
【図１１】
2006316542.tif 000013